(57)【要約】【課題】密閉されている電動機ケース内へ導入された加圧気体が、給電用ケーブルにおける芯線の内部を伝わって、外部へ漏出することがないようにする。【解決手段】給電用ケーブル１３における非通気性保護チューブ１４の端部より露出させた芯線１５を、気密性の電動機ケース１の適所に設けた嵌孔３に、絶縁材を介して気密的に嵌合され、かつ電動機ケース１の内方へ突出する導電性端子７の先端に接続する。【選択図】図２
2008113488.tif 000002
【特許請求の範囲】
【請求項１】
給電用ケーブルにおける非通気性保護チューブの端部より露出させた芯線を、気密性の電動機ケースの適所に設けた嵌孔に、絶縁材を介して気密的に嵌合され、かつ電動機ケースの内方へ突出する導電性端子の先端に接続したことを特徴とする内部加圧型電動機。
【請求項２】
気密性の電動機ケースの適所に設けた嵌孔に、絶縁性の保持筒を気密的に嵌合し、かつこの保持筒に、導電性端子を気密的に嵌合してなる請求項１記載の内部加圧型電動機。
【請求項３】
導電性端子を、着脱自在としてなる請求項１または２記載の内部加圧型電動機。
【請求項４】
導電性端子を、電動機ケースの内側から着脱しうるようにしてなる請求項１〜３のいずれかに記載の内部加圧型電動機。
【請求項５】
導電性端子を、電動機ケースの外側から着脱しうるようにしてなる請求項１〜３のいずれかに記載の内部加圧型電動機。
【請求項６】
請求項１〜５のいずれかに記載の内部加圧型電動機における電動機ケースに気密的に接続したシリンダーに挿入したピストンを往復運動させることにより、気体を加圧して送出するようにしたことを特徴とする内部加圧型ピストン式気体圧縮機。
【発明の詳細な説明】
【技術分野】
【０００１】
本発明は、密閉されて、内部が加圧されている電動機ケース内で作動するようにした内部加圧型電動機、およびこのような電動機をもって駆動されるようにした内部加圧型ピストン式気体圧縮機に関する。
【背景技術】
【０００２】
本願出願人は、往復ピストン式気体圧縮機において、クランクケース内や電動機の温度上昇を防止し、かつ電動機、その他の作動部による騒音を防止するために、図４に示すように、気密状態のクランクケース２０に、密閉状態のシリンダー２１、および外端部に導気孔２２を有する気密状態の電動機ケース２３を、通気可能に連設し、電動機ケース２３に内蔵した電動機２４をもって、クランクケース２０内に配置したクランク軸２５と一体をなす駆動軸２６を駆動することにより、クランク軸２５をもって、シリンダー２１に挿入したピストン２７を往復運動させて、気体を電動機ケース２３の導気孔２２から吸引し、電動機２４のまわりを経て、クランクケース２０内へ導き、かつクランクケース２０内の気体を、シリンダー２１内におけるピストン２７の前側へ吸引し加圧して、シリンダー２１の先端より送り出すようにした往復内部加圧型ピストン式気体圧縮機について、先に特許出願している（特願２００５−２３８６８５号）。
【０００３】
なお図４において、シリンダー２１の内面要所に軸線方向の通気溝２８を設け、ピストン２７の往復運動に伴い、シリンダー２１内のピストン２７の上方空間において、クランクケース２０内の気体を吸引し加圧するようにしてある。
【０００４】
ピストン２７とクランク軸２５は、ピストンロッド２９をもって連結されている。
【０００５】
シリンダー２１の頂壁３０には逆止吐出弁３１が設けられ、かつ頂壁３０の上面には、吐気孔３２を有する吐気室３３が設けられている。
【０００６】
先端に導気孔２２を有する密閉状の電動機ケース２３が、連設されているクランクケース２０の一側面には、通気孔３４があけられている。
【０００７】
図４に示すピストン式気体圧縮機において、圧縮性能を高めるために、導気孔２２より、加圧空気を送り込むようにしたもの、冷却性能を高めるために、冷却用空気を送り込むようにしたもの、あるいは電動機の防爆等のために、不活性ガスを送り込むようにしたもの等がある。
【０００８】
これらいずれの場合においても、電動機２４のステータコイル３５に対する給電用ケーブル３６としては、通常、撚線からなる芯線３７を、気密可撓性の保護チューブ３８に挿入した多芯被覆電線３９が使用されている。
【０００９】
この多芯被覆電線３９におけるステータコイル３５に至る部分の外端は、例えば図５に示すように、電動機ケース２３の蓋板４０に穿設した通孔４１へ固篏され、ナット状の気密性止環４２で抜止めされている。
【００１０】
前記した送入気体は、程度の差はあれ、電動機ケース２３内へ加圧状態で送り込まれるため、送入気体の一部は、給電用ケーブル３６の内端におけるステータコイル３５との接続部において露出している芯線３７の中を通って、外方へ流れて電動機ケース２３より外部へ漏出し、損失となるとともに、周囲の環境に悪影響を及ぼすことがある。
【００１１】
なお、電線を、単に容器の壁を貫通させて導出させることは、きわめて一般的であって、例えば特許文献１および２に記載されている。
【特許文献１】特開平６−２９２３４１号公報
【特許文献２】実開昭６０−１２８４２０号公報
【発明の開示】
【発明が解決しようとする課題】
【００１２】
本発明は、上記したように、密閉されている電動機ケース２３内へ導入された加圧気体が、給電用ケーブル３６における芯線３７の内部を伝わって、外部へ漏出することがないようにしたもので、その具体的構成は、次の通りである。
【課題を解決するための手段】
【００１３】
（１）給電用ケーブルにおける非通気性保護チューブの端部より露出させた芯線を、気密性の電動機ケースの適所に設けた嵌孔に、絶縁材を介して気密的に嵌合され、かつ電動機ケースの内方へ突出する導電性端子の先端に接続する。
【００１４】
（２）上記(１)項において、気密性の電動機ケースの適所に設けた嵌孔に、絶縁性の保持筒を気密的に嵌合し、かつこの保持筒に、導電性端子を気密的に嵌合する。
【００１５】
（３）上記(１)または(２)項において、導電性端子を、着脱自在とする。
【００１６】
（４）上記(１)〜(３)項のいずれかにおいて、導電性端子を、電動機ケースの内側から着脱しうるようにする。
【００１７】
（５）上記(１)〜(３)項のいずれかにおいて、導電性端子を、電動機ケースの外側から着脱しうるようにする。
【００１８】
（６）上記(１)〜(５)項のいずれかに記載の内部加圧型電動機における電動機ケースに気密的に接続したシリンダーに挿入したピストンを往復運動させることにより、気体を加圧して送出するようにすることにより、内部加圧型ピストン式気体圧縮機とする。
【発明の効果】
【００１９】
請求項１記載の発明：−給電用ケーブルにおける非通気性保護チューブの先端から露出する芯線は、気密性の電動ケースの内部において、導電性端子の先端に接続されているため、電動ケース内へ送入された加圧気体が、芯線を通って、電動ケースの外部へ漏出することはない。
【００２０】
請求項２記載の発明：−導電性端子を、容易に安定よく保持筒へ取付けることができ、かつ保持筒により、電動機ケースとの絶縁は確実に保たれる。
【００２１】
請求項３記載の発明：−導電性端子を取外した状態で、これに給電用ケーブルを、着脱したり点検したりすることができるので、作業性が良い。
【００２２】
請求項４記載の発明：−外部から人や物品が当接することによって、導電性端子や保持筒が、外れたり傷んだりすることはない。
【００２３】
請求項５記載の発明：−導電性端子や保持筒を、電動機ケースを開口することなく、その外方から着脱することができるので、作業性がよい。
【００２４】
請求項６記載の発明：−ある目的をもって電動ケース内へ送入された加圧気体が外部に漏れることはなく、かつこの加圧気体が給電用ケーブルの芯線を通って外部へ漏出することのない効率の良い内部加圧型ピストン式気体圧縮機が得られる。
【発明を実施するための最良の形態】
【００２５】
図１は、本発明の第１の実施形態を示す図４と同様の図であり、図２は、その要部の拡大図である。
【００２６】
図１に示すものは、図２に示した以外の部分は、図４に示したものと、全く同様であるので、図１における図４と同様の部分には、それと同一の符号を付して説明を省略し、以下、図４と異なる部分のみについて説明する。
【００２７】
電動機ケース１の外端における蓋板２の適所に嵌孔３が穿設され、嵌孔３の内側より、絶縁材からなる保持筒４を、適所にＯリング５を介して嵌合し、かつ保持筒４の内側より、適所にＯリング６を介して、導電性端子７を嵌合して、保持筒４および導電性端子７の内端のフランジ８，９同士を重合し、内側より両フランジ９，８へ挿入した締付けボルト１０を、蓋板２にねじ込むことにより、保持筒４および導電性端子７を、蓋板２に気密的に固定してある。
【００２８】
導電性端子７の内方へ突出する端子片１１，１１に、内端をステータコイル１２に接続して、給電用ケーブル１３の外端における保護チューブ１４から露出する芯線１５を接続してある。
【００２９】
図３は、本発明の第２の実施形態を示し、図１および図２に示すものにおいて、保持筒４および導電性端子７を、蓋板２の嵌孔３へ、外側方から嵌合すること以外は、図１、図２のものと全く同様である。
【図面の簡単な説明】
【００３０】
【図１】本発明による内部加圧型電動機を備える内部加圧型ピストン式気体圧縮機の一例を示す縦断正面図である。
【図２】図１における要部の拡大図である。
【図３】図１，図２とは異なる例を示す図２と同様の図である。
【図４】本出願人の先願に係る内部加圧型ピストン式気体圧縮機を略示する縦断正面図である。
【図５】図４における給電用ケーブルの導出部を略示する縦断正面図である。
【符号の説明】
【００３１】
１  電動機ケース
２  蓋板
３  嵌孔
４  保持筒
５，６  Ｏリング
７  導電性端子
８，９  フランジ
１０  締付けボルト
１１  端子片
１２  ステータコイル
１３  給電用ケーブル
１４  保護チューブ
１５  芯線
２０  クランクケース
２１  シリンダー
２２  導気孔
２３  電動機ケース
２４  電動機
２５  クランク軸
２６  駆動軸
２７  ピストン
２８  導気溝
２９  ピストンロッド
３０  頂壁
３１  逆止吐出弁
３２  吐気孔
３３  吐気室
３４  通気孔
３５  ステータコイル
３６  給電用ケーブル
３７  芯線
３８  保護チューブ
３９  多芯被覆電線
４０  蓋板
４１  通孔
４２  気密性止環
【図１】
2008113488.tif 000003
【図２】
2008113488.tif 000004
【図３】
2008113488.tif 000005
【図４】
2008113488.tif 000006
【図５】
2008113488.tif 000007